(57)【要約】【課題】送信側からの画像データに基づく画像が、どのような記憶部付き画像形成媒体に形成されたかを、送信側で把握することが可能なファクシミリ通信システム等を提供する。【解決手段】ファクシミリ通信システム１は、画像データを送信する送信側のファクシミリ装置３と、当該画像データに基づく画像を、記憶部付き画像形成媒体３３Ａ上に形成する受信側のファクシミリ装置５と、を備え，受信側のファクシミリ装置により上記画像が形成される記憶部付き画像形成媒体の記憶部３９に記憶された記憶データの内容を、送信側のファクリミリ装置に通知する通知部７を備える。【選択図】図３
2010136334.tif 000002
【特許請求の範囲】
【請求項１】
画像データを送信する送信側のファクシミリ装置と、
前記画像データを受信し、当該画像データに基づく画像を、記憶部付き画像形成媒体上に形成する受信側のファクシミリ装置と、を備えるファクシミリ通信システムであって、
前記受信側のファクシミリ装置により前記画像が形成される記憶部付き画像形成媒体の記憶部に記憶された記憶データの内容を、前記送信側のファクリミリ装置に通知する通知部を備えるファクシミリ通信システム。
【請求項２】
請求項１記載のファクシミリ通信システムであって、
前記記憶部付き画像形成媒体の記憶部から、当該記憶部付き画像形成媒体を識別するための識別データを読み取るデータ読取部を備え、
前記通知部は、前記データ読取部により読み取られた識別データの内容を、前記記憶データの内容として前記送信側のファクリミリ装置に通知する。
【請求項３】
請求項１または２に記載のファクシミリ通信システムであって、
前記記憶部付き画像形成媒体の記憶部に、前記受信側のファクシミリ装置自身が管理する管理データ、及び、前記送信側のファクシミリ装置からの受信データの少なくとも一方を書き込む受信側データ書込部を備え、
前記通知部は、前記受信側データ書込部により前記記憶部に書き込まれたデータの内容を、前記記憶データの内容として前記送信側のファクリミリ装置に通知する。
【請求項４】
請求項１から３のいずれか一項に記載のファクシミリ通信システムであって、
前記記憶部付き画像形成媒体の記憶部から、当該記憶部付き画像形成媒体を識別するための識別データを読み取るデータ読取部と、
前記記憶部付き画像形成媒体の記憶部に、前記受信側のファクシミリ装置自身が管理する管理データ、及び、前記送信側のファクシミリ装置からの受信データの少なくとも一方を書き込む受信側データ書込部と、
前記記憶部付き画像形成媒体が、当該記憶部へのデータ書き込み可能なものかどうかを判断する判断部と、を備え、
前記通知部は、前記判断部でデータ書き込み可能であると判断された場合には、前記受信側データ書込部により前記記憶部に書き込まれたデータの内容を、前記判断部でデータ書き込み不可であると判断された場合には、前記データ読取部により読み取られた識別データの内容を、前記記憶データの内容として前記送信側のファクリミリ装置に通知する。
【請求項５】
請求項１から４のいずれか一項に記載のファクシミリ通信システムであって、
前記通知部は、前記記憶データの内容と、当該記憶データが記憶される記憶部付き画像形成媒体上に形成される画像の特定情報との対応関係情報を通知する。
【請求項６】
請求項１から５のいずれか一項に記載のファクシミリ通信システムであって、
前記送信側のファクシミリ装置は、自己にセットされた記憶部付き原稿上に形成された画像を読み取って前記画像データを生成する画像読取部と、
前記記憶部付き原稿の記憶部に、前記通知部により通知された前記記憶データの内容を書き込む送信側データ書込部と、を備える。
【請求項７】
画像データを受信し、当該画像データに基づく画像を、記憶部付き画像形成媒体上に形成する受信側のファクシミリ装置であって、
前記画像が形成される記憶部付き画像形成媒体の記憶部に記憶された記憶データの内容を、前記送信側のファクリミリ装置に通知する通知部を備える受信側のファクシミリ装置。
【請求項８】
自己にセットされた記憶部付き原稿上に形成される画像から取得した画像データを、受信側のファクシミリ装置に送信する送信側のファクシミリ装置であって、
前記記憶部付き原稿の記憶部に、受信側のファクシミリ装置から通知された記憶データの内容を書き込む送信側データ書込部を備える送信側のファクシミリ装置。
【発明の詳細な説明】
【技術分野】
【０００１】
本発明は、ファクシミリ通信システム、送信側及び受信側のファクシミリ装置に関する。
【背景技術】
【０００２】
記憶部付き画像形成媒体（ＲＦＩＤ（Radio Frequency Identification）付き用紙など）が、ファクシミリ通信システムに利用されることがある。例えば、送信側のファクシミリ装置は、ＲＦＩＤ付き用紙上の画像、及び、そのＲＦＩＤ内の記憶内容を読み取って画像データ及びＲＦＩＤ用データとして受信側のファクシミリ装置へ送信する。一方、受信側のファクシミリ装置は、自己にセットされたＲＦＩＤ付き用紙上に、上記画像データに基づき画像を形成し、且つ、ＲＦＩＤ内にＲＦＩＤ用データを記憶する（特許文献１参照）。
【先行技術文献】
【特許文献】
【０００３】
【特許文献１】特開２００８−４７９６６号公報
【発明の概要】
【発明が解決しようとする課題】
【０００４】
ところで、受信側のファクシミリ装置にて上記画像がどのようなＲＦＩＤ付き用紙に記憶されたかを、送信側で把握することができなかった。
【０００５】
本発明は上記のような事情に基づいて完成されたものであって、その目的は、送信側からの画像データに基づく画像が、どのような記憶部付き画像形成媒体に形成されたかを、送信側で把握することが可能なファクシミリ通信システム、送信側及び受信側のファクシミリ装置を提供するところにある。
【課題を解決するための手段】
【０００６】
（１）上記の目的を達成するための手段として、本発明に係るファクシミリ通信システムは、画像データを送信する送信側のファクシミリ装置と、前記画像データを受信し、当該画像データに基づく画像を、記憶部付き画像形成媒体上に形成する受信側のファクシミリ装置と、を備えるファクシミリ通信システムであって、前記受信側のファクシミリ装置により前記画像が形成される記憶部付き画像形成媒体の記憶部に記憶された記憶データの内容を、前記送信側のファクリミリ装置に通知する通知部を備える。
【０００７】
このような構成によれば、受信側のファクシミリ装置により画像が形成される画像形成媒体の記憶部に記憶された記憶データの内容が、送信側のファクシミリ装置に通知される。これにより、送信側では、その通知内容が記憶部に記憶される記憶部付き画像形成媒体に、上記画像が形成されたことを把握できる。
【０００８】
（２）本発明は、前記記憶部付き画像形成媒体の記憶部から、当該記憶部付き画像形成媒体を識別するための識別データを読み取るデータ読取部を備え、前記通知部は、前記データ読取部により読み取られた識別データの内容を、前記記憶データの内容として前記送信側のファクリミリ装置に通知するものとすることができる。
【０００９】
このような構成によれば、識別データに基づき、画像がどの記憶部付き画像形成媒体に記憶されたかを詳細に把握することができる。
【００１０】
（３）本発明は、前記記憶部付き画像形成媒体の記憶部に、前記受信側のファクシミリ装置自身が管理する管理データ、及び、前記送信側のファクシミリ装置からの受信データの少なくとも一方を書き込む受信側データ書込部を備え、前記通知部は、前記受信側データ書込部により前記記憶部に書き込まれたデータの内容を、前記記憶データの内容として前記送信側のファクリミリ装置に通知するものとすることができる。
【００１１】
このような構成によれば、何らかの原因により、管理データや受信データと、記憶部付き画像形成媒体の記憶部に実際に書き込まれたデータとの一致しない場合であっても、画像が、どのような記憶部付き画像形成媒体に形成されたかを、送信側で把握することができる。
【００１２】
（４）本発明は、前記記憶部付き画像形成媒体の記憶部から、当該記憶部付き画像形成媒体を識別するための識別データを読み取るデータ読取部と、前記記憶部付き画像形成媒体の記憶部に、前記受信側のファクシミリ装置自身が管理する管理データ、及び、前記送信側のファクシミリ装置からの受信データの少なくとも一方を書き込む受信側データ書込部と、前記記憶部付き画像形成媒体が、当該記憶部へのデータ書き込み可能なものかどうかを判断する判断部と、を備え、前記通知部は、前記判断部でデータ書き込み可能であると判断された場合には、前記受信側データ書込部により前記記憶部に書き込まれたデータの内容を、前記判断部でデータ書き込み不可であると判断された場合には、前記データ読取部により読み取られた識別データの内容を、前記記憶データの内容として前記送信側のファクリミリ装置に通知するものとすることができる。
【００１３】
このような構成によれば、記憶部付き画像形成媒体が、当該記憶部へのデータ書き込み可能なものかどうかにかかわらず、画像が形成される画像形成媒体の記憶部に記憶される記憶データの内容を、送信側のファクシミリ装置に通知することができる。
【００１４】
（５）本発明の前記通知部は、前記記憶データの内容と、当該記憶データが記憶される記憶部付き画像形成媒体上に形成される画像の特定情報との対応関係情報を通知するものとすることができる。
【００１５】
このような構成によれば、送信側のファクシミリ装置は、対応関係情報に基づき記憶データを容易に管理することができる。
【００１６】
（６）本発明の前記送信側のファクシミリ装置は、自己にセットされた記憶部付き原稿上に形成された画像を読み取って前記画像データを生成する画像読取部と、前記記憶部付き原稿の記憶部に、前記通知部により通知された前記記憶データの内容を書き込む送信側データ書込部と、を備える。
【００１７】
このような構成によれば、送信側の原稿と、その原稿上の画像が受信側でどのような記憶付き画像形成媒体に形成されたかに関する情報とを一体的に管理することができる。
【００１８】
（７）本発明の受信側のファクシミリ装置は、画像データを受信し、当該画像データに基づく画像を、記憶部付き画像形成媒体上に形成する受信側のファクシミリ装置であって、前記画像が形成される記憶部付き画像形成媒体の記憶部に記憶された記憶データの内容を、前記送信側のファクリミリ装置に通知する通知部を備える。
【００１９】
（８）本発明の送信側のファクシミリ装置は、自己にセットされた記憶部付き原稿上に形成される画像から取得した画像データを、受信側のファクシミリ装置に送信する送信側のファクシミリ装置であって、前記記憶部付き原稿の記憶部に、受信側のファクシミリ装置から通知された記憶データの内容を書き込む送信側データ書込部を備える。
【発明の効果】
【００２０】
本発明によれば、送信側からの画像データに基づく画像が、受信側でどのような記憶部付き画像形成媒体に形成されたかを、送信側で把握することが可能である。
【図面の簡単な説明】
【００２１】
【図１】本発明の一実施形態に係るファクシミリ通信システムの全体構成を示すブロック図
【図２】複合機の内部構成の概要図
【図３】ファクシミリ通信の動作シーケンスを示す図
【図４】送信側複合機の処理を示すフローチャート
【図５】受信側複合機の処理を示すフローチャート
【発明を実施するための形態】
【００２２】
本発明の一実施形態について図を参照しつつ説明する。
（ファクシミリ通信システム）
図１は、ファクシミリ通信システム１の全体構成を示すブロック図である。このファクシミリ通信システム１は、少なくともファクシミリ機能を有する２台の複合機３，５（本発明の「ファクシミリ装置」の一例）を含んで構成されている。なお、この２台の複合機３，５は、画像データ（ファクシミリデータ）を相互に送受信可能であるが、以下では説明を簡単にするために、複合機３から画像データを送信し、複合機５にて当該画像データに基づき画像形成（印刷）処理を行うものとする。以下、複合機３を「送信側複合機３」といい、複合機５を「受信側複合機５」ということがある。
【００２３】
複合機３，５は、少なくともファクシミリ機能を有していれば、ハード上の構成が互いに異なっていてもよい。但し、本実施形態では、説明を簡単にするために、両複合機３，５は、ファクシミリ機能の他、プリンタ機能、スキャナ機能、コピー機能等を備え、ハード上の基本構成が互いに共通するものとする。具体的には、複合機３，５は、ＣＰＵ７、ＲＯＭ９、ＲＡＭ１１、ＮＶＲＡＭ１３（不揮発性メモリ）、操作部１５、表示部１７、画像形成部１９、スキャナ部２１を備える。ＲＯＭ９には、後述するファクシミリ通信処理など、この複合機３，５の各種の動作を実行するためのプログラムが記憶されており、ＣＰＵ７は、ＲＯＭ９から読み出したプログラムに従って、その処理結果をＲＡＭ１１またはＮＶＲＡＭ１３に記憶させながら各部の制御を行う。操作部１５は、複数のボタンを備え、ユーザにより各種の入力操作が可能である。表示部１７は、液晶ディスプレイやランプ等を備え、各種の設定画面や装置の動作状態等を表示することが可能である。
【００２４】
また、複合機３，５は、ネットワークインターフェイス２３及びファクシミリインターフェース２５を備える。ネットワークインターフェイス２３は、ネットワーク回線を介して外部のコンピュータ（図示せず）等に接続され、これにより相互のデータ通信が可能となっている。ファクシミリインターフェース２５は、公衆電話網２７を介して他のファクシミリ装置に接続され、これにより相互のファクシミリ通信が可能となっている。
【００２５】
更に、複合機３，５は、原稿用の第１ＲＦＩＤリーダ／ライタ２９（本発明の「送信側データ書込部」の一例）、シート材用の第２ＲＦＩＤリーダ／ライタ３１及び第３ＲＦＩＤリーダ／ライタ３０（本発明の「データ読取部、受信側データ書込部」の一例）を備える。これらについて後で詳述する。
【００２６】
（複合機の構成）
図２は、複合機３，５の内部構成の概要図である。複合機３，５の底部には、被画像形成用のシート材３３（例えば用紙など  本発明の「画像形成媒体」の一例）が収納される１又は複数のトレイ（本実施形態では例えば２つのトレイ３５，３７）が設けられている。なお、上記シート材３３には、ＲＦＩＤタグ３９付きのシート材（本発明の「記憶部付き画像形成媒体」の一例  以下、「ＲＦＩＤシート材３３Ａ」という）と、ＲＦＩＤタグが付いていない通常のシート材（以下、「通常シート材３３Ｂ」という）とが含まれる。なお、ＲＦＩＤシート材３３Ａには、ＲＦＩＤタグがシート材３３に埋設されたものや、ＲＦＩＤタグがシート材３３の表面に付着されたものなどがある。
【００２７】
上述した第２ＲＦＩＤリーダ／ライタ３１は、各トレイ３５，３７ごとに設けられている。各第２ＲＦＩＤリーダ／ライタ３１は、図示しないアンテナから電波を発することにより、各トレイ３５，３７に収納されたＲＦＩＤシート材３３ＡのＲＦＩＤタグ３９との間でデータの無線通信（データの読み取り、書き込み）が可能になっている。
【００２８】
これらのトレイ３５，３７に収納されたシート材３３は、ピックアップローラ４１によって１枚ずつ取り出されてレジストレーションローラ４３，４３へと搬送される。レジストレーションローラ４３，４３は、搬送されてきたシート材３３の姿勢を整えつつ所定のタイミングで搬送ベルト４５上に送り出す。送り出されたシート材３３は、搬送ベルト４５によって搬送されつつ、画像形成部１９により、例えばファクシミリ通信により受信した画像データに基づく画像（モノクロ画像、カラー画像）が形成される。画像が形成されたシート材３３は、定着器の加熱ローラ４７及び押圧ローラ４９の間に挟まれつつ熱定着され、排出トレイ５１上へと排出される。
【００２９】
上述した第３ＲＦＩＤリーダ／ライタ３０は、例えば各トレイ３５，３７と排出トレイ５１との間のシート材３３の搬送経路付近（図２では定着器の下流側）に設けられている。第３ＲＦＩＤリーダ／ライタ３０は、定着器を通過した原稿５５がＲＦＩＤシート材３３Ａであれば、そのＲＦＩＤタグ３９との間で無線通信によりデータのやり取りを行うことができる。
【００３０】
排出トレイ５１の上方には、原稿読取ユニット５３が設けられている。この原稿読取ユニット５３は、原稿５５がセットされる原稿トレイ５７が設けられている。原稿５５には、ＲＦＩＤシート材３３Ａの表面上に原稿画像が形成されたものと、通常シート材３３Ｂの表面上に原稿画像が形成されたものとが含まれる。原稿トレイ５７にセットされた原稿５５は、図示しない送り機構によってスキャナ部５９の読取領域内に搬送され、その後、原稿排出トレイ６１に排出される。スキャナ部５９（本発明の「画像読取部」の一例）は搬送中の原稿５５から原稿画像を読み取って画像データを生成し、ＣＰＵ７へと送信する。
【００３１】
前述の原稿用の第１ＲＦＩＤリーダ／ライタ２９は、例えば原稿排出トレイ６１内に設けられている。第１ＲＦＩＤリーダ／ライタ２９は、当該原稿排出トレイ６１に排出された原稿５５がＲＦＩＤシート材３３Ａであれば、そのＲＦＩＤタグ３９との間で無線通信によりデータのやり取りを行うことができる。
【００３２】
（ファクシミリ通信処理）
図３はファクシミリ通信の動作シーケンスを示す図であり、図４は送信側複合機３の処理を示すフローチャートであり、図５は受信側複合機５の処理を示すフローチャートである。この処理を実行することにより、送信側複合機３からの画像データに基づく原稿画像が、受信側複合機５にてどのようなＲＦＩＤシート材３３Ａに形成されたかを、送信側で把握することが可能になる。なお、各図中の括弧つき数字は、次述する各段階の番号を示す。
【００３３】
まず、送信側のユーザは、送信側複合機３の原稿トレイ５７上にＲＦＩＤシート材３３Ａからなる原稿５５をセットし、操作部１５でファクシミリ送信を指示する操作をする。また、このとき、ユーザは、受信側複合機５にＲＦＩＤデータ（本発明の「記憶データ」の一例）を要求するＲＦＩＤ要求モードか、当該ＲＦＩＤデータを要求しない通常モードかを操作部１５で設定することができる。送信側複合機３のＣＰＵ７は、これらの操作に基づき図４に示す処理を実行する。
【００３４】
（１）原稿読取段階
送信側複合機３のＣＰＵ７は、Ｓ１で原稿５５をスキャナ部２１の読取領域に送りつつ、当該スキャナ部２１にて生成された原稿画像データを取得し、例えばＮＶＲＡＭ１３のバッファ領域に一時的に格納する。そして、回線接続段階に移行する。
【００３５】
（２）回線接続段階
回線接続段階では、送信側複合機３と受信側複合機５との間の回線を接続するための回線接続処理（図４のＳ３、図５のＳ３１）が実行される。具体的には、図３に示すように、送信側複合機３のＣＰＵ７が、ＣＮＧ（発呼）信号を、ファクシミリインターフェース２５を介して交換機（図示せず）に送信し、交換機が受信側複合機５を呼び出す。受信側複合機５のＣＰＵ７は、この呼び出しに対してＣＥＤ（応答）信号を、ファクシミリインターフェース２５を介して交換機に返信する。そして、通信準備段階（ネゴシエーション）に移行する。
【００３６】
（３）通信準備段階
通信準備段階では、送信側複合機３と受信側複合機５との間で実行するファクシミリ通信の通信能力決定処理（図４のＳ５、図５のＳ３３）を行う。具体的には、図３に示すように、受信側複合機５のＣＰＵ７は、ＮＳＦ信号、ＣＳＩ信号、ＤＩＳ信号を送信側複合機３に送信する。ＮＳＦ信号は、非標準機能識別信号であり、独自の通信能力（例えば通信方式、通信速度や圧縮方式）やその他の情報を自由に設定することができる。ＣＳＩ信号は被呼端末識別信号であり、ＤＩＳ信号は、予め定められた標準規格のなかで受信側複合機５が対応可能な通信能力を通知するためのデジタル命令信号である。
【００３７】
これに対して、送信側複合機３のＣＰＵ７は、Ｓ５で、上記ＤＩＳ信号に基づき、受信側複合機５が対応可能な通信能力のなかから今回使用する通信能力を決定する。次に、Ｓ７で、上記ＲＦＩＤ要求モードに設定されているかどうかを判断し、ＲＦＩＤ要求モードに設定されていれば（Ｓ７：ＹＥＳ）、Ｓ９で、決定した通信能力、及び、ＲＦＩＤ要求コマンドを受信側複合機５に返信する。具体的には、図３に示すように、ＮＳＳ信号、ＴＳＩ信号、ＤＣＳ信号、ＴＣＦ信号を受信側複合機５に返信する。
【００３８】
ＮＳＳ信号は非標準機能識別信号であり、送信側複合機３のＣＰＵ７は、当該ＮＳＳ信号に上記ＲＦＩＤ要求コマンドを設定して返信する。ＴＳＩ信号は送信端末識別信号であり、ＤＣＳ信号は、送信側で決定した通信能力を通知するためのデジタル命令信号である。ＴＣＦ信号はトレーニング信号であり、受信側複合機５のＣＰＵ７は、このＴＣＦ信号を受信すると、正常に受信したことを通知するためのＣＦＲ信号を送信側複合機３に送信する。これにより通信能力が確定し、原稿画像送受信段階に移行する。
【００３９】
一方、送信側複合機３のＣＰＵ７は、通常モードに設定されていれば（Ｓ７：ＮＯ）、Ｓ２３で、ＲＦＩＤ要求コマンドを設定せずに、ＮＳＳ信号、ＴＳＩ信号、ＤＣＳ信号、ＴＣＦ信号を受信側複合機５に返信する。
【００４０】
（４）原稿画像送受信段階
送信側複合機３のＣＰＵ７は、ＲＦＩＤ要求モード時には、上記ＣＦＲ信号を受信したことを確認すると、Ｓ１１で、上記原稿読取段階で生成した原稿画像データと、通信能力再決定コマンドとを送信する。具体的には、図３に示すように、原稿画像データが含まれるデータ信号、通信能力再決定コマンドであるＥＯＭ信号を受信側複合機５に送信する。なお、通常モード時には、Ｓ２５で、原稿画像データと共に、ＥＯＭ信号ではなくＥＯＰ信号を送信する。
【００４１】
次に、送信側複合機３のＣＰＵ７は、Ｓ１３で、上記ＲＦＩＤ要求モードに設定されているかどうかを判断する。
ＲＦＩＤ要求モードに設定されているときは（Ｓ１３：ＹＥＳ）、ＣＰＵ７は図４に示すＳ１５に進み、通信能力再決定段階に移行する。
一方、ＲＦＩＤ要求モードに設定されていないときは（Ｓ１３：ＮＯ）、ＣＰＵ７は図４に示すＳ１５からＳ１９の処理を実行することなくＳ２１に進み、回線切断段階に移行する。
【００４２】
（５）通信能力再決定段階
受信側複合機５のＣＰＵ７は、Ｓ３５で、原稿画像データを受信すると、Ｓ３７で、上記通信能力決定処理（Ｓ３３）でＲＦＩＤ要求コマンドを受けたかどうかを判断する。ＲＦＩＤ要求コマンドを受けていれば（Ｓ３７：ＹＥＳ）、Ｓ３９で、上記ＥＯＭ信号に従って通信能力再決定処理を実行する。具体的には、図３に示すように、受信側複合機５のＣＰＵ７は、ＭＣＦ信号、ＮＳＦ信号、ＣＳＩ信号、ＤＩＳ信号を送信側複合機３に送信する。なお、ＭＣＦ信号は、上記原稿画像データを正常に受信したことを送信側複合機３に通知するための信号である。
【００４３】
これに対して、送信側複合機３のＣＰＵ７は、Ｓ１５で、上記ＤＩＳ信号に基づき、受信側複合機５が対応可能な通信能力のなかから、送信側複合機３が対応可能な通信能力を選択する。そして、図３に示すように、ＮＳＣ信号、ＣＩＧ信号、ＤＴＣ信号を受信側複合機５に返信する。ＮＳＣ信号は非標準機能識別信号であり、ＣＩＧ信号は送信端末識別信号であり、ＤＴＣ信号は、送信側複合機３が対応可能な上記通信能力を通知するためのデジタル命令信号である。受信側複合機５のＣＰＵ７は、上記ＤＴＣ信号に基づき最も高い通信能力を決定する。そして、ＲＦＩＤデータ通知段階に移行する。
【００４４】
（６）ＲＦＩＤデータ通知段階
ＲＦＩＤデータ通知段階では、受信側複合機５により原稿画像（本発明の「画像データに基づく画像」の一例）が形成されるＲＦＩＤシート材３３ＡのＲＦＩＤタグ３９に記憶されたＲＦＩＤデータ（本発明の「記憶データ」の一例）の内容が、送信側複合機３に通知される。このとき、受信側複合機５のＣＰＵ７は本発明の「通知部」として機能する。
【００４５】
具体的には、受信側複合機５のＣＰＵ７は、Ｓ４１でトレイ３５，３７のいずれかにＲＦＩＤシート材３３Ａがセットされているかを判断する。この判断は、例えば、各トレイ３５，３７にそれぞれセットすべきシート材３３の種類に関する設定情報に基づき行ってもよい。また、シート材３３の有無を判断するためのセンサ（図示せず）による判断結果や、第２ＲＦＩＤリーダ／ライタ３１による無線通信結果（例えばトレイ３５，３７中のシート材３３に対する無線通信の反応の有無）に基づき行ってもよい。
【００４６】
ＲＦＩＤシート材３３Ａがセットされていれば（Ｓ４１：ＹＥＳ）、Ｓ４３で、上記第２ＲＦＩＤリーダ／ライタ３１を利用して、当該ＲＦＩＤシート材３３ＡのＲＦＩＤタグ３９が書き込み可能か、それとも読取専用かを判断する。このとき、受信側複合機５のＣＰＵ７は本発明の「判断部」として機能する。 
【００４７】
Ａ．ＲＦＩＤシート材が書き込み可能な場合
書き込み可能であれば（Ｓ４３：ＹＥＳ）、Ｓ４５で、受信側複合機５にて管理する管理データを作成する。この管理データには、たとえば、各ＲＦＩＤシート材３３Ａを識別するための固有情報、送信日時や受信日時に関する情報、送信側複合機３から得た送信情報（例えば送信者識別情報など）など、識別・追跡・照合のいずれかが可能な情報に基づき生成されたものが含まれる。そして、Ｓ４７で、最上位にセットされたＲＦＩＤシート材３３Ａをトレイ３５（３７）から画像形成部１９へと搬送させて、当該画像形成部１９により当該ＲＦＩＤシート材３３Ａに原稿画像を形成する。その後、第３ＲＦＩＤリーダ／ライタ３０を利用して、当該ＲＦＩＤシート材３３ＡのＲＦＩＤタグ３９に上記管理データを書き込む。
【００４８】
そして、Ｓ４９で、第３ＲＦＩＤリーダ／ライタ３０により書き込まれたデータの内容を、ＲＦＩＤデータの内容として送信側複合機３に通知する。なお、ここでいう「書き込まれたデータ」には、上記管理データを第３ＲＦＩＤリーダ／ライタ３０によりＲＦＩＤタグ３９に書き込んだ後に、再び読み取ったデータ（実際に書き込まれたデータ）が含まれる。また、実際に書き込まれたデータの内容を検証することなく、書き込みが正常に終了した場合における上記管理データと同じ内容或いは対応する内容のものが含まれる。
【００４９】
具体的には、図３に示すように、受信側複合機５のＣＰＵ７は、ＮＳＳ信号、ＴＳＩ信号、ＤＣＳ信号、ＴＣＦ信号を送信側複合機３に送信する。ＮＳＳ信号には、ＲＦＩＤデータを後続のデータ信号に設定することを送信側複合機３に予告するコマンドが設定されている。また、ＤＣＳ信号は、受信側複合機５が決定した上記通信能力を送信側複合機３に通知するために利用される。受信側複合機５のＣＰＵ７は、送信側複合機３からＣＦＲ信号が返信されると、ＲＦＩＤデータ、及び、上記原稿画像データの特定情報（例えばファイル名など）を設定したデータ信号、ＥＯＰ信号を送信側複合機３に送信する。なお、ＲＦＩＤデータ及び特定情報が本発明の「対応関係情報」の一例である。
【００５０】
これに対して、送信側複合機３のＣＰＵ７は、Ｓ１７で上記データ信号を受信し、第１ＲＦＩＤリーダ／ライタ２９を利用して、上記ＲＦＩＤデータを原稿排出トレイ６１に排出されたＲＦＩＤシート材３３ＡのＲＦＩＤタグ３９に書き込む。なお、この書き込みは上書きでも追記でもよい。
【００５１】
Ｂ．ＲＦＩＤシート材が読み取り専用の場合
一方、図５のＳ４３で、ＲＦＩＤシート材３３ＡのＲＦＩＤタグ３９が読取専用であれば（Ｓ４３：ＮＯ）、Ｓ５３で当該ＲＦＩＤタグ３９に予め書き込まれた識別データ（例えばＲＦＩＤタグ３９ごとに個別に定められたシリアル番号など）を読み取る。そして、その予め書き込まれたデータの内容を、ＲＦＩＤデータの内容として送信側複合機３に通知する。
【００５２】
Ｃ．ＲＦＩＤシート材がセットされていない場合
図５のＳ４１で、ＲＦＩＤシート材３３Ａがセットされていなければ（Ｓ４１：ＮＯ）、Ｓ４９に進み、ＲＦＩＤ要求に対応不可であることを示す情報を、上記ＮＳＳ信号に設定する。この場合、送信側複合機３のＣＰＵ７は、図４に示すＳ１７、Ｓ１９の処理を実行することなくＳ２１に進む。上記ＲＦＩＤデータ通知段階後、回線切断段階に移行する。なお、第１ＲＦＩＤリーダ／ライタ２９を利用して、受信側にＲＦＩＤシート材３３Ａがセットされていなかった旨を、原稿排出トレイ６１に排出されたＲＦＩＤシート材３３Ａ（原稿５５）のＲＦＩＤタグ３９に書き込むようにしてもよい。
【００５３】
なお、図５のＳ３７で、ＲＦＩＤ要求コマンドを受けていなければ（Ｓ３７：ＮＯ）、Ｓ５１で回線切断処理を実行し、また、トレイ３５，３７にセットされたシート材３３に上記原稿画像データに基づき原稿画像を形成する処理を画像形成部１９に実行させる。
【００５４】
（７）回線切断段階
回線切断段階では、送信側複合機３からＭＣＦ信号が送信され、受信側複合機５からＤＣＮ信号を返信することで回線が切断され、本ファクシミリ通信処理が終了する。
【００５５】
（本実施形態の効果）
（１）本実施形態によれば、受信側複合機５により原稿画像が形成されたＲＦＩＤシート材３３ＡのＲＦＩＤタグ３９に記憶されたＲＦＩＤデータの内容が、送信側複合機３に通知される。これにより、送信側では、その通知内容がＲＦＩＤタグ３９に記憶されたＲＦＩＤシート材３３Ａに、上記原稿画像が形成されたことを把握できる。
【００５６】
これにより、例えば、ある会の主催者が送信側複合機３から当該会の招待に関する原稿画像データを、招待対象者の受信側複合機５に送る。すると、各受信側複合機５からＲＦＩＤデータの内容が送信側複合機３に通知される。これにより、主催者は、それぞれの招待対象者側で作成された招待状（ＲＦＩＤシート材３３Ａ）のＲＦＩＤタグ３９にどのような内容が記憶されているかを把握することができる。このため、主催者は、例えば上記会の開催場所にて、自己が把握した内容と、各招待対象者が持参する招待状のＲＦＩＤタグ３９の記憶内容とを照合することにより、招待状の真偽を判別することができる。
【００５７】
（２）受信側複合機５にセットされたＲＦＩＤシート材３３ＡのＲＦＩＤタグ３９が読取専用である場合（Ｓ４３：ＮＯ）、当該ＲＦＩＤタグ３９に予め書き込まれた識別データの内容が、ＲＦＩＤデータの内容として送信側複合機３に通知する。従って、このような場合であっても、どのようなＲＦＩＤシート材３３Ａに原稿画像が形成されたかを、送信側で把握することができる。
【００５８】
（３）受信側複合機５にセットされたＲＦＩＤシート材３３ＡのＲＦＩＤタグ３９が書き込み可能である場合（Ｓ４３：ＹＥＳ）、第３ＲＦＩＤリーダ／ライタ３０により書き込まれたデータの内容が、ＲＦＩＤデータの内容として送信側複合機３に通知される。従って、例えば上記ＲＦＩＤタグ３９の記憶容量が比較的に小さく上記管理データを全て書き込むことができないなど、管理データと、ＲＦＩＤシート材３３ＡのＲＦＩＤタグ３９に実際に書き込まれたデータとが一致[0]しない場合でも、原稿画像が、どのようなＲＦＩＤシート材３３Ａに形成されたか、或いは、受信側で原稿画像が形成されたＲＦＩＤシート材３３ＡのＲＦＩＤタグ３９にどのような内容のＲＦＩＤデータが記憶されたかを、送信側で把握することができる。
【００５９】
（４）受信側複合機５は、ＲＦＩＤデータ、及び、上記原稿画像データの特定情報（例えばファイル名など）の対応関係情報を送信側複合機３に通知する。従って、送信側で、その対応関係情報に基づきＲＦＩＤデータの内容を容易に管理することができる。なお、この対応関係情報を、送信側複合機３の表示部１７に表示させるようにしてもよい。
【００６０】
送信側複合機３のＣＰＵ７は、受信したＲＦＩＤデータの内容を、原稿排出トレイ６１に排出された原稿５５のＲＦＩＤシート材３３ＡのＲＦＩＤタグ３９に書き込む。従って、原稿のＲＦＩＤシート材３３Ａと、当該原稿画像が受信側でどのようなＲＦＩＤシート材３３Ａに形成されたかに関する情報とを一体的に管理することができる。
【００６１】
＜他の実施形態＞
本発明は上記記述及び図面によって説明した実施形態に限定されるものではなく、例えば次のような種々の態様も本発明の技術的範囲に含まれる。特に、各実施形態の構成要素のうち、最上位の発明の構成要素以外の構成要素は、付加的な要素なので適宜省略可能である。
（１）上記実施形態では、ＲＦＩＤデータ（記憶データ）を受信側複合機５で独自に作成するものとしたが、本発明はこれに限られない。送信側複合機３から受信した受信データであってもよい。例えば、送信側複合機３にて、原稿画像のＲＦＩＤシート材３３ＡのＲＦＩＤタグ３９内のデータを第１ＲＦＩＤリーダ／ライタ２９により読み取って、そのデータを受信側複合機５に送信するようにしてもよい。この場合、当該データは、例えば、図３の（３）通信準備段階においてＮＳＦ信号に設定して送信してもよい。また、（４）通信準備段階でＮＳＦ信号により、上記データを、後で送信するデータ信号に含める旨を予告し、原稿画像送受信段階におけるデータ信号に設定して送信してもよい。
【００６２】
このように送信側複合機３からＲＦＩＤデータを送信する場合であっても、例えば上記ＲＦＩＤタグ３９の記憶容量が比較的に小さく上記管理データを全て書き込むことができないなど、受信データと、ＲＦＩＤシート材３３ＡのＲＦＩＤタグ３９に実際に書き込まれたデータとが一致[0]しない場合があり、このような場合でも、原稿画像が、どのようなＲＦＩＤシート材３３Ａに複製されたかを、送信側で正確に把握することができる。
【００６３】
（２）ＲＦＩＤデータの内容を送信側複合機３に通知する方法としては、上記実施形態以外に、ＲＦＩＤデータのデータ量が比較的に少ない場合には、例えば通信能力を変更せずに、図３の（４）のＥＯＭ信号に対する応答としてＭＣＦ信号の後にＮＳＦ信号に設定して通知してもよい。
【００６４】
（３）上記実施形態では、複合機３，５を例に挙げて説明したが、これに限らず、単機能のファクシミリ装置であってもよい。
【符号の説明】
【００６５】
１...ファクシミリ通信システム
３，５...複合機（ファクシミリ装置）
７...受信側複合機のＣＰＵ（通知部、判断部）
２１...スキャナ部（画像読取部）
３３...シート材（画像形成媒体）
３３Ａ...ＲＦＩＤシート材（記憶部付き画像形成媒体）
３９...ＲＦＩＤタグ（記憶部）
２９...第１ＲＦＩＤリーダ／ライタ（送信側データ書込部）
３０...第３ＲＦＩＤリーダ／ライタ（データ読取部、受信側データ書込部）
【図１】
2010136334.tif 000003
【図２】
2010136334.tif 000004
【図３】
2010136334.tif 000005
【図４】
2010136334.tif 000006
【図５】
2010136334.tif 000007